(57)【要約】【課題】本発明は、記憶装置自体が衝撃加速度を受けることにより、記憶媒体がたわみ、ヘッドのスライダが媒体から離脱し、記憶媒体への書き込み及び記憶媒体からの読み出しが不能になることを防止する構造の記憶装置を提供することを目的とする。【解決手段】記憶媒体の外径の１／２以上の外径を有し、記憶媒体を回転させるモータの回転軸に固定された固定部を記憶媒体の片面に配置し、反対面の一部にスペーサを介して他の記憶媒体を対向させ、他の記憶媒体のスペーサと当接する面の反対面に記憶媒体の外径の１／２以上の外径を有するクランプを配置し、スペーサを挟む記憶媒体とこれらを挟む固定部とクランプを均等に締め付け、記憶媒体のスペーサが配置される側の面を記録面として使用する。【選択図】図３
2007250132.tif 000002
【特許請求の範囲】
【請求項１】
記憶媒体と、
前記記憶媒体に情報を記録または再生するトランスデューサと、
前記記憶媒体を回転させるモータと、
前記トランスデューサを前記記憶媒体に位置づけるポジショナとを有する記憶装置において、
前記記憶媒体のうち第１の記憶媒体の一方の面を前記モータの回転軸の固定部に当接し、
前記第１の記憶媒体の他の面にスペーサを介して第２の記憶媒体を重ね、
前記第２の記憶媒体の前記スペーサに接する面と反対側の面にクランプを当接し、
前記固定部と前記クランプは前記記憶媒体の外径の１／２以上の外径を有し、
前記スペーサは前記記憶媒体の外径の１／２以下の外径を有し、
前記第１の記憶媒体、前記スペーサ、前記第２の記憶媒体、および前記クランプを前記固定部に固定し、
前記第１の記憶媒体と前記第２の記憶媒体にはそれぞれ前記スペーサに接する側の面に情報を記録することを特徴とする記憶装置。
【請求項２】
前記第１の記憶媒体、前記スペーサ、前記第２の記憶媒体、および前記クランプの前記固定部への固定はネジによることを特徴とする請求項１に記載の記憶装置。
【請求項３】
前記第１の記憶媒体と前記第２の記憶媒体に情報を記録または再生する前記トランスデューサはスライダに形成され、前記スライダは複数に先端部が分かれた剛性を有する剛性部材の前記先端部に設けられ、前記剛性部材はバネ性を有するバネ部材を介して前記アームに取り付けられていることを特徴とする請求項１および請求項２に記載の記憶装置。
【請求項４】
前記剛性部材は２つの先端部を有し、各々に前記スライダを搭載し、前記スライダに形成されたトランスデューサはそれぞれ前記記憶媒体の情報を記録する各々の面に位置づけされていることを特徴とする請求項３に記載の記憶装置。
【請求項５】
記憶媒体に情報を記録または再生する記憶装置を衝撃力から保護する方法であって、
第１の記憶媒体の一方の面を前記記憶媒体を回転させるモータの回転軸の固定部に当接し、
前記第１の記憶媒体の他の面にスペーサを介して第２の記憶媒体を重ね、
前記第２の記憶媒体の前記スペーサに接する面と反対側の面にクランプを当接し、
前記固定部と前記クランプは前記記憶媒体の外径の１／２以上の外径を有し、
前記スペーサは前記記憶媒体の外径の１／２以下の外径を有し、
前記第１の記憶媒体、前記スペーサ、前記第２の記憶媒体、および前記クランプを前記固定部に固定し、
前記第１の記憶媒体と前記第２の記憶媒体にはそれぞれ前記スペーサに接する側の面に情報を記録することを特徴とする記憶装置を衝撃力から保護する方法。
【発明の詳細な説明】
【技術分野】
【０００１】
本発明は、回転型磁気ディスク媒体を用いる記憶装置に関する。
【背景技術】
【０００２】
近年の磁気ディスク装置は、設置して使用することを前提としたディスクトップＰＣやサーバコンピュータにおける使用の他、携帯音楽端末や、携帯情報端末、カーナビ、モバイルノートＰＣ等においての利用が進んでいる。携帯することを前提としたこれらの機器においては、落下させてしまった場合の衝撃や、机や他の硬いものにぶつけてしまったときに受ける衝撃に対する耐用性を十分有している必要がある。
【０００３】
磁気ディスク装置が衝撃を受けたとき、磁気ヘッドのスライダと磁性媒体との衝突による磁性媒体の記録面の損傷を防ぐため、加速度センサを磁気ディスク装置に搭載し、落下時の加速度を検出し、落下衝撃を受ける前に磁気ヘッドを磁性媒体領域から外に退避させたり、また、磁気ディスク装置自体に衝撃による加速度が加わるのを防止するため、携帯端末機器において行われている対策として、磁気ディスク装置を発泡ウレタン等で挟み込んで端末機器内に実装することが行われている。（例えば、非特許文献１参照。）
また、特開２００１−１０１８１４号公報においては、磁気ディスク装置が外部から衝撃を受けてディスクが撓んでも、ディスクは非データ領域の外周部で肉厚のスクイーズ板に接触し、ディスクのデータ領域をヘッドによって傷つけることなく、かつ、ヘッドをロード／アンロードするためのランプの薄肉部がディスクと衝突して変形してしまうことのないようにディスクの変形規制を行っている。
【０００４】
その他、磁気ヘッドのスライダを小型化して衝撃に対する感度を下げたり、磁気ヘッドのスライダを支持しているサスペンションの媒体への押し付け加重を増やすことで、衝撃が加わった時にも磁性媒体との相対的な位置変位をなるべく抑える対策が採られている。
【０００５】
上記のように、従来から衝撃に対する磁気ディスク装置の保護方法として、磁気ディスク装置そのものに衝撃が加わらないようにする、あるいは、衝撃が加わってもこれに耐えられる構造とする方法の２つに大別される。
【０００６】
衝撃が加わってもこれに耐えられる構造とするために、非特許文献１では磁気ヘッドのスライダと磁性媒体との衝突による磁性媒体の記録面の損傷を防ぐため、加速度センサを磁気ディスク装置に搭載し、落下時の加速度を検出し、落下衝撃を受ける前に磁気ヘッドを磁性媒体領域から外に退避させるようにしている。この構造においては、磁気ディスク装置が落下した時のように、落下してから床などに衝突するまでの間に磁気ヘッドを磁性媒体領域から外に退避させる時間がある場合にはよいが、磁気ディスク装置が外部から突然に打撃を受けた場合には磁気ヘッドを退避させる時間がなく、効果が少ないと考えられる。
【０００７】
また、特開２００１−１０１８１４号公報に開示されている技術では、磁気ディスク装置が大きな外部衝撃を受けてディスクが撓んでも、ディスクは非データ領域の外周部で肉厚のスクイーズ板に接触するため、ディスクのデータ領域をヘッドによって傷つけることなく、かつ、ヘッドをロード／アンロードするためのランプの薄肉部がディスクと衝突して変形してしまうことのないようにディスクの変形規制を行っている。この構造においては、磁気ディスク装置が強い外部衝撃を受けてディスクが撓み、ディスクが非データ領域の外周部で肉厚のスクイーズ板に接触した場合には、接触による粉塵が磁気ディスク装置内に飛散することが考えられる。     
【非特許文献１】東芝製Dynabook SS S20カタログ（２００５年４月）
【特許文献１】特開２００１−１０１８１４号公報
【発明の開示】
【発明が解決しようとする課題】
【０００８】
本発明は、前述の公知の技術における問題点を解決した記憶装置に関する発明であって、記憶装置自体が衝撃加速度を受けることにより、記憶媒体がたわみ、ヘッドのスライダが媒体から離脱し、記憶媒体への書き込み及び記憶媒体からの読み出しが不能になることを防止する構造の記憶装置を提供することを目的とする。
【課題を解決するための手段】
【０００９】
本発明の請求項１に記載の発明は、記憶媒体と、前記記憶媒体に情報を記録または再生するトランスデューサと、前記記憶媒体を回転させるモータと、前記トランスデューサを前記記憶媒体に位置づけるポジショナとを有する記憶装置において、前記記憶媒体のうち第１の記憶媒体の一方の面を前記モータの回転軸の固定部に当接し、前記第１の記憶媒体の他の面にスペーサを介して第２の記憶媒体を重ね、前記第２の記憶媒体の前記スペーサに接する面と反対側の面にクランプを当接し、前記固定部と前記クランプは前記記憶媒体の外径の１／２以上の外径を有し、前記スペーサは前記記憶媒体の外径の１／２以下の外径を有し、前記第１の記憶媒体、前記スペーサ、前記第２の記憶媒体、および前記クランプを前記固定部に固定し、前記第１の記憶媒体と前記第２の記憶媒体にはそれぞれ前記スペーサに接する側の面に情報を記録することを特徴とする記憶装置である。
【００１０】
請求項１に記載の発明によれば、記憶媒体の外径の１／２以上の外径を有し、記憶媒体を回転させるモータの回転軸の固定部（以下、固定部と称す）に記憶媒体の片面を当接し、他の面の一部にスペーサを介して他の記憶媒体を当接し、他の記憶媒がスペーサと当接する面の反対面にはクランプを当接し、スペーサを挟む２枚の記憶媒体とを固定部に対してクランプを介して一定圧力で均等に締め付け、スペーサと当接する側の記憶媒体の面を記録面として使用する。
【００１１】
記憶媒体の外径の１／２以上の外径を有する固定部とクランプとを記憶媒体に当接させるのは、記憶媒体が装置の外部からの衝撃をうけた際、記憶媒体を回転させるモータの回転軸のスラスト方向（以下、スラスト方向と称す）の変位量を減少させることを目的としており、固定部とクランプの外径が大きく、厚く、剛性の高いほど装置が外部から衝撃をうけた際、固定部とクランプに当接する記憶媒体のスラスト方向の変位量は小さくなる。
【００１２】
固定部とクランプの外径を小さくすると前述の変位量は大きくなり効果が小さくなる。したがって、固定部とクランプの外径、厚さ、材質は、どの程度の衝撃値を装置が受けた時に前述の変位量をどの程度の値以内に収めようとするかで決まる。固定部とクランプの外径が記憶媒体の外径より小さくなれば、装置が外部から衝撃をうけた際に記憶媒体の外周部の変位量は大きい。
【００１３】
そこで、固定部とクランプの外径を記憶媒体の外径の少なくとも１／２以上の範囲としし、それぞれの部材の厚さ、材質を選定することにより、前述の変位量が所望の規格値を満足するようにする。例えば、固定部とクランプの厚さをそれぞれ記憶媒体の厚さの１０倍、２倍とし、固定部の材質をアルミニウム合金、クランプの材質を耐衝撃硬質ガラスとし、所定の衝撃値を装置が受けた時に、記憶媒体の外周部の変位が従来の１／１０以下に抑えられるように固定部とクランプの外径を選ぶ。記憶媒体を回転させるモータの回転部の重量、イナーシャに余裕があれば、固定部とクランプの外径を記憶媒体の外径と等しくしてもよい。
【００１４】
ここで、本発明の記憶装置の記憶媒体は装置に固定のものであっても可換型のカートリッジに収納されたものであっても構わない。要は、装置が外部から衝撃をうけた際の記憶媒体のスラスト方向の変位量を抑えることを目的とする。
【００１５】
また、スペーサの外径は、従来のスペーサの外径と同じであっても、小さくても構わない。
【００１６】
さらに、記憶媒体は、両面に磁性層が形成されていても、片面だけに磁性層が形成されていてもどちらでも構わない。
【００１７】
本発明の請求項２に記載の発明は、前記第１の記憶媒体、前記スペーサ、前記第２の記憶媒体、および前記クランプの前記固定部への固定はネジによることを特徴とする請求項１に記載の記憶装置である。
【００１８】
請求項２に記載の発明によれば、固定部とクランプを記憶媒体に添わせた形になっているため、固定部、クランプに当接している記憶媒体との面が隙間なく密着した状態を保持するため、例えば、クランプと記憶媒体を回転させるモータの回転軸の先端とが雌ネジと雄ネジとなっていて、固定部に対して記憶媒体とスペーサがクランプによってネジ止めされるか、または、固定部に対して記憶媒体、スペーサ、記憶媒体およびクランプを重ねて複数のネジによりスラスト方向にネジ止めするようになっていてもよい。
【００１９】
本発明の請求項３に記載の発明は、前記第１の記憶媒体と前記第２の記憶媒体に情報を記録または再生する前記トランスデューサはスライダに形成され、前記スライダは複数に先端部が分かれた剛性を有する剛性部材の前記先端部に設けられ、前記剛性部材はバネ性を有するバネ部材を介して前記アームに取り付けられていることを特徴とする請求項１および請求項２に記載の記憶装置である。
【００２０】
請求項３に記載の発明によれば、衝撃に対してスラスト方向の剛性を付加された記憶媒体に対し、トランスデューサ、例えば磁気ヘッド側の衝撃に対する剛性も高め、記憶装置としての耐衝撃性をさらに高めようとするものである。
【００２１】
本発明の請求項４に記載の発明は、前記剛性部材は２つの先端部を有し、各々に前記スライダを搭載し、前記スライダに形成されたトランスデューサはそれぞれ前記記憶媒体の情報を記録する各々の面に位置づけされていることを特徴とする請求項３に記載の記憶装置である。
【００２２】
請求項４に記載の発明によれば、記憶媒体のそれぞれの記録面の情報をリードライトするヘッドの形成されたスライダが記録面から飛び跳ねて記録面を打ちつけたり、または背中あわせに配置されたスライダに付随する部材同士がぶつかるのを防止するため、例えば背中あわせに配置されたスライダをそれぞれ支持するサスペンションを、Ｖ字型の剛性を有する耐衝撃性の優れたセラミック材で形成して２つの先端にそれぞれスライダを搭載し、他端をバネ性のある支持部材に取り付け、支持部材の他端をアームに取り付ける。このようにすることにより、スライダが記録面から飛び跳ねて記録面を打ちつけたり、または背中あわせに配置されたスライダに付随する部材同士がぶつかるのを防止するようになっている。
【００２３】
本発明の請求項５に記載の発明は、記憶媒体に情報を記録または再生する記憶装置を衝撃力から保護する方法であって、第１の記憶媒体の一方の面を前記記憶媒体を回転させるモータの回転軸の固定部に当接し、前記第１の記憶媒体の他の面にスペーサを介して第２の記憶媒体を重ね、前記第２の記憶媒体の前記スペーサに接する面と反対側の面にクランプを当接し、前記固定部と前記クランプは前記記憶媒体の外径の１／２以上の外径を有し、
前記スペーサは前記記憶媒体の外径の１／２以下の外径を有し、前記第１の記憶媒体、前記スペーサ、前記第２の記憶媒体、および前記クランプを前記固定部に固定し、前記第１の記憶媒体と前記第２の記憶媒体にはそれぞれ前記スペーサに接する側の面に情報を記録することを特徴とする記憶装置を衝撃力から保護する方法である。
【発明の効果】
【００２４】
本発明によれば、記憶媒体の面と垂直な方向であるスラスト方向の曲げ剛性を増加させることにより、記憶媒体に衝撃が加わったとき、記憶媒体のスラスト方向の変位量を抑え、かつ、スライダのスラスト方向の剛性が高まって振動振幅が減少するため、読み書きヘッドが搭載されたスライダが記憶媒体から離脱することなく、読み書きが安定する。
【００２５】
さらに、本発明による構造であれば、従来の記憶媒体を使用することができ、片面は外径の大きな固定部またはクランプと対面して接触するため強いて記録面として用いないが、他面は従来と同様あるいはそれ以上に広い記録面として使うことができる。
【発明を実施するための最良の形態】
【００２６】
図１は、磁気ディスク装置例を示す。図において、内部構造を説明するため、上部のカバーを取り外した状態を示している。
【００２７】
ベース１に対して各コンポーネントが取り付けられ、互いに機能するようになっている。記憶媒体２はスピンドルモータ回転軸３に対しクランプ３−１により固定されている。ここで、記憶媒体２を回転させるスピンドルモータは見えない位置にあり図示省略されている。記憶媒体２は、稼働中はスピンドルモータにより所定の回転速度で回転している。回転している記憶媒体２の記録面上をスライダ７が浮上している。スライダ７には、図示されていない読み書き用のヘッドが搭載されており、記憶媒体２と所定の間隔をもって読み書きの動作をする。スライダ７は、一定の押し付け力をスライダ７にかけるサスペンション６を介してアーム５に支持されており、アーム５はアーム回転軸４−２を中心に回転可能であり、アーム回転軸４−２に対しアーム５と反対側にはコイル４−１が取り付けられている。ボイスコイルモータ４はコイル４−１に流される電流によってアーム５をアーム回転軸４−２を中心に左右に動作し、スライダ７に搭載されたヘッドが回転している記憶媒体２上を移動し、記憶媒体２上の所望の位置において情報を読み書きする。これらのコンポーネントはベース１に取り付けられている。
【００２８】
従来、記憶媒体２は、媒体の表裏両面を記録面として使用するため、図２の従来の磁気ディスク装置例に示すようにベース２０に取り付けられたスピンドルモータ２１に固定されていた。記憶媒体２２は２枚のタイプのものを図示しており、スペーサ２３は２枚の記憶媒体２２を規定の間隔に保っている。クランプ２４は、記憶媒体２２、スペーサ２３をスピンドルモータ２１に固定するためのものである。磁気ヘッド（図示省略）を搭載したスライダ２５はサスペンション２６の先端に取り付けられ、サスペンション２６はアーム２７に取り付けられている。この構成は記憶媒体２２の記録領域を効率よく使用できるが、耐衝撃性を考慮した場合最適とは言いがたい。衝撃力が加わると、記憶媒体２２の自由端となっている外周部は大きくたわみ、振動するため、記憶媒体２２上を浮上するスライダ２５と記憶媒体２２との浮上間隔が設計値から外れるため、読み書きができなくなる。衝撃力が強い場合は、スライダ２５がいったん大きく記憶媒体２２から離れ、サスペンション２６のバネの力により勢い良く記憶媒体２２に衝突し、記録面を破損する。
【００２９】
本発明では、図３の本発明による記憶装置例に示すように、スピンドルモータ３１に固定された固定部３４の外径を記憶媒体３２の外径の１/２以上、好ましくはほぼ同じとし、記憶媒体３２と固定部３４とを大きな面積で固定する。固定面と反対側の面は記録面として使用するため、従来と同等の大きさと厚さ、例えば、記憶媒体３２の外径の約１／３の外径のスペーサ３３を使用する。
【００３０】
さらに、スペーサ３３の上にもう一枚の記憶媒体３２を積層し、固定部３４と同じ外径のクランプ３８とで媒体を固定する。ここで、クランプ３８は固定部３４に対し、２枚の記憶媒体３２とスペーサ３３とを円周方向に沿って均一な締め付け力でスピンドルモータ３１の回転軸（図示省略）にネジ止めするようになっている。
【００３１】
固定部３４とクランプ３８と接している記憶媒体３２の各々の反対面を記録面として使用することで、記憶媒体３２の振動を抑えつつ、記録面として利用可能な領域を確保される。また、スライダ３５、サスペンション３６、アーム３７は本記憶装置例では従来と同じ技術のものを使用している。
【００３２】
図４は、本発明による記憶装置の他の例を示す。本例では、Ｒ／Ｗヘッドを搭載したスライダ４５を支えるサスペンション４６は、以下の構成をとる。スライダ４５は柔軟に記憶媒体３２の記録面のうねりに追従できるように図示しないジンバル構造を有しており、また、やわらかいバネに取り付けられている。そして、バネを例えば剛性をもったセラミックで作られたＶ字剛体部４６−１に取り付ける。上下の記録面に各々Ｒ／ＷするＲ／Ｗヘッドを搭載した２つのスライダ４５を取り付けたＶ字剛体部４６−１の他端にバネ部４６−２に接続する。バネ部４６−２は例えばステンレス製のバネ鋼で作られている。バネ部４６−２は剛性をもった支持部４６−３に支持され、さらにアーム４７に取り付けられている。この構成により、２つのスライダ４５が衝撃で上下しようとしても、片方のスライダ４５の空気膜剛性でそれを受けることで、スライダ４５のディスクからの飛び跳ねを防ぎ、かつ、スライダ４５同士はＶ字剛体部４６−１に取り付けられているため、互いにぶつかり合うこともない。
【図面の簡単な説明】
【００３３】
【図１】は磁気ディスク装置例。
【図２】は従来の磁気ディスク装置例。
【図３】は本発明による磁気記憶装置例。
【図４】は本発明による磁気記憶装置の他の例。
【符号の説明】
【００３４】
１、２０、３０、４０      ベース
２、２２、３２、４２      記憶媒体
３                        スピンドルモータ回転軸
４                        ボイスコイルモータ
５、２７、３７、４７      アーム
６、２６、３６、４６      サスペンション
７、２５、３５、４５      スライダ
２１、３１、４１          スピンドルモータ
２３、３３、４３          スペーサ
２４                      クランプ
４４                      固定部
４８                      クランプ
【図１】
2007250132.tif 000003
【図２】
2007250132.tif 000004
【図３】
2007250132.tif 000005
【図４】
2007250132.tif 000006